(57)【要約】【課題】容易に清潔なビジネス衣類をレンタルすることができるレンタルシステムおよびレンタル方法を提供することである。【解決手段】本発明にかかるレンタルシステム１００は、ビジネス拠点店舗Ａ５１０，ビジネス拠点店舗Ｂ５２０と、登録した会員を管理する本部システム２００と、を含む。ビジネス拠点店舗Ａ５１０，ビジネス拠点店舗Ｂ５２０におけるビジネス衣類を登録したユーザ端末３００を有するユーザにレンタルするものである。【選択図】図１
2016033744.tif 000002
【特許請求の範囲】
【請求項１】
衣類の洗濯事業店舗システムと、
前記衣類の洗濯事業店舗システムと接続され、かつ登録した会員を管理する管理システムと、を含み、
前記衣類の洗濯事業店舗におけるビジネス衣類を前記登録した会員にレンタルするレンタルシステム。
【請求項２】
前記ビジネス衣類は、ビジネススーツ、カッターシャツ、シューズ、靴下、ネクタイ、タイピン、セミフォーマル類、ジャケット、パンツの少なくともいずれかを含む、請求項１記載のレンタルシステム。
【請求項３】
前記管理システムは、前記会員の体型に応じた前記ビジネス衣類のサイズが登録されている、請求項１または２記載のレンタルシステム。
【請求項４】
ビジネス衣類を販売する衣類販売店舗システムをさらに含み、
前記衣類の洗濯事業店舗システムに対して、前記ビジネス衣類を提供する、請求項１から３のいずれか１項に記載のレンタルシステム。
【請求項５】
前記会員が前記ビジネス衣類をレンタルした後のアンケートを入力する入力システムをさらに含み、
前記入力システムによるアンケートを前記衣類販売店舗システムに供与する、請求項４記載のレンタルシステム。
【請求項６】
前記入力システムにより前記衣類販売店舗システムに前記アンケートを供与した前記会員に、利益ポイントを供与する、請求項５記載のレンタルシステム。
【請求項７】
駅またはコンビニエンスストアのいずれかに前記洗濯事業店舗システムを配設した、請求項１から６のいずれか１項に記載のレンタルシステム。
【請求項８】
衣類の洗濯事業工程と、
前記洗濯事業工程と接続され、かつ登録した会員を管理する管理工程と、を含み、
前記衣類の洗濯事業工程におけるビジネス衣類を前記登録した会員にレンタルするレンタル方法。
【発明の詳細な説明】
【技術分野】
【０００１】
本発明は、駅などの主要ビジネス拠点におけるレンタルシステムおよびレンタル方法に関する。
【０００２】
従来、種々のレンタルシステムが開発されている。例えば、特許文献１（特開２００３−２５６７４１号公報）には、洋服を貸したい人と洋服を借りたい人が相互に安心して利用でき、洋服を借りたい人にあっては、様々な個性の洋服群から好みの洋服を容易に安く借りることができる衣装レンタルシステムについて開示されている。
【０００３】
特許文献１（特開２００３−２５６７４１号公報）記載の衣装レンタルシステムは、複数のユーザの端末と、ネットワーク上におけるＷｅｂサイトを通じて通信可能であるとともに、Ｗｅｂサイト上で登録及び／又は予約可能な衣装レンタルシステムにおいて、ユーザの端末から予約された衣装の貸し出し前後における衣装の管理及び／又は評価をするための管理機関を備えているものである。
【０００４】
また、特許文献２（特開２００３−０７６８９２号公報）には、利用者が容姿、体型に基づいて衣装選定を行え、レンタル衣装の返品・交換を低減して衣装レンタルの回転率を向上させることができる貸衣装注文方法及び装置について開示されている。
【０００５】
特許文献２（特開２００３−０７６８９２号公報）記載の貸衣装注文方法は、貸衣装業者のサーバーにネットワークを介して利用者用の端末を接続し、利用者端末から貸衣装を選定するものであって、衣装画像の閲覧に際しては、複数の衣装画像中から利用者端末が選択した特定の衣装画像と人物の顔画像とを合成後、他の衣装への画像切り替え操作により、人物の顔画像と他の衣装画像との合成画像を表示するものである。
【先行技術文献】
【特許文献】
【０００６】
【特許文献１】特開２００３−２５６７４１号公報
【特許文献２】特開２００３−０７６８９２号公報
【発明の概要】
【発明が解決しようとする課題】
【０００７】
以上の特許文献１および特許文献２記載の衣装においては、単に衣装をレンタルすることができるものである。
【０００８】
しかしながら、ビジネスマンが移動を伴う出張の際に、ビジネス衣類で移動することが多くある。しかしながら、移動中においては、ビジネス衣類で移動するよりも、非ビジネス衣類で移動する方が疲れを低減できる。
【０００９】
また、ビジネス衣類を持参することも可能であるが、荷物が多くなる。また、着替えを持参し、移動中に着ていた非ビジネス衣類を再度着るということも出来るが、夏場等は、汗等の関係上好ましくない。
【００１０】
本発明の目的は、容易に清潔なビジネス衣類をレンタルすることができるレンタルシステムおよびレンタル方法を提供することである。
本発明の他の目的は、容易に清潔なビジネス衣類をレンタルするとともに、清潔な非ビジネス衣類を着ることができるレンタルシステムおよびレンタル方法を提供することである。
【課題を解決するための手段】
【００１１】
（１）
一局面に従うレンタルシステムは、衣類の洗濯事業店舗システムと、衣類の洗濯事業店舗システムと接続され、かつ登録した会員を管理する管理システムと、を含み、衣類の洗濯事業店舗におけるビジネス衣類を登録した会員にレンタルするものである。
【００１２】
この場合、登録された会員は、衣類の洗濯事業店舗においてビジネス衣類をレンタルすることができる。例えば、東京から大阪へ移動する場合には、私服で移動し、大阪で営業活動をする場合にビジネス衣類をレンタルし、大阪でビジネス衣類を返却し、私服で大阪から東京へ戻ることができる。
また、私服を洗濯事業店舗システムにおいてクリーニングしてもよく、会員から返却されたビジネス衣類を容易にクリーニングすることができる。
さらに、非ビジネス衣類を収納保管する保管システムをさらに含んでも良い。
【００１３】
（２）
第２の発明にかかるレンタルシステムは、一局面に従うレンタルシステムにおいて、ビジネス衣類は、ビジネススーツ、カッターシャツ、シューズ、靴下、ネクタイ、タイピン、セミフォーマル類、ジャケット、パンツの少なくともいずれかを含んでもよい。
【００１４】
この場合、登録された会員は、ビジネススーツ、カッターシャツ、シューズ、靴下、ネクタイ、タイピン、セミフォーマル類、ジャケット、パンツをレンタルすることにより、遠距離等の移動を含む出張の場合、私服で移動し、容易にビジネス衣類でビジネスを行うことができる。
【００１５】
（３）
第３の発明にかかるレンタルシステムは、一局面または第２の発明にかかるレンタルシステムにおいて、管理システムは、会員の体型に応じたビジネス衣類のサイズが登録されてもよい。
【００１６】
この場合、管理システムには、会員の体型に応じたビジネス衣類のサイズが登録されているので、会員は、自分のサイズにあったビジネス衣類を容易にレンタルすることができる。
【００１７】
（４）
第４の発明にかかるレンタルシステムは、一局面から第３の発明のいずれかにかかるレンタルシステムにおいて、ビジネス衣類を販売する衣類販売店舗システムをさらに含み、衣類の洗濯事業店舗システムに対して、ビジネス衣類を提供してもよい。
【００１８】
この場合、衣類販売店舗システムから洗濯事業店舗システムにビジネス衣類を提供するので、会員が自らのビジネス衣類を預けることなく、ビジネス衣類を選定し、レンタルすることができる。
【００１９】
（５）
第５の発明にかかるレンタルシステムは、第４の発明にかかるレンタルシステムにおいて、会員がビジネス衣類をレンタルした後のアンケートを入力する入力システムをさらに含み、入力システムによるアンケートを衣類販売店舗システムに供与してもよい。
【００２０】
この場合、会員がレンタルしたビジネス衣類のアンケートを衣類販売店舗に提供することができるので、衣類販売店舗の顧客ニーズに活かすことができる。
【００２１】
（６）
第６の発明にかかるレンタルシステムは、第５の発明にかかるレンタルシステムにおいて、入力システムにより衣類販売店舗システムにアンケートを供与した会員に、利益ポイントを供与してもよい。
【００２２】
この場合、衣類販売店舗の顧客ニーズの代償として、会員に利益ポイントを提供することができる。利益ポイントは、割引チケット、金券等であってもよい。
【００２３】
（７）
第７の発明にかかるレンタルシステムは、一局面から第６の発明のいずれか１項に記載のレンタルシステムにおいて、駅またはコンビニエンスストアのいずれかに洗濯事業店舗システムが配設されてもよい。
【００２４】
この場合、洗濯事業店舗システムは、駅またはコンビニエンスストアのいずれかに配設される。その結果、会員は、容易にビジネス衣類を借りることができる。
【００２５】
（８）
他の局面に従うレンタル方法は、衣類の洗濯事業工程と、洗濯事業工程と接続され、かつ登録した会員を管理する管理工程と、を含み、衣類の洗濯事業工程におけるビジネス衣類を登録した会員にレンタルするものである。
【００２６】
この場合、登録された会員は、衣類の洗濯事業工程においてビジネス衣類をレンタルすることができる。例えば、東京から大阪へ移動する場合には、私服で移動し、大阪で営業活動をする場合にビジネス衣類をレンタルし、大阪でビジネス衣類を返却し、私服で大阪から東京へ戻ることができる。
また、私服を洗濯事業工程においてクリーニングしてもよく、会員から返却されたビジネス衣類を容易にクリーニングすることができる。
さらに、非ビジネス衣類を収納保管する保管システムをさらに含んでもよい。
【図面の簡単な説明】
【００２７】
【図１】レンタルシステムの概略の一例についての説明図である。
【図２】レンタルシステムの登録処理の流れの一例を示すフローチャートである。
【図３】本部システムの管理システムの内部構成の一例を示す模式図である。
【図４】ユーザが登録する会員情報の一例を示す模式図である。
【図５】ビジネス拠点店舗が登録する会員情報の一例を示す模式図である。
【図６】レンタルシステムを利用する一例を示すフローチャートである。
【図７】レンタルシステムを利用する一例を示すフローチャートである。
【図８】レンタルシステムの概略の他の例について説明する説明図である。
【図９】第２の実施の形態にかかるレンタルシステムの一例を示すフローチャートである。
【発明を実施するための形態】
【００２８】
＜第１実施の形態＞
以下、図面を参照しつつ、本発明の第１の実施の形態について説明する。以下の説明では、同一の部品には同一の符号を付してある。それらの名称および機能も同じである。したがって、それらについての詳細な説明は繰り返さない。
【００２９】
＜レンタルシステムの構造＞
図１は、レンタルシステムの概略の一例についての説明図である。
【００３０】
図１に示すように、レンタルシステム１００は、本部システム２００、ユーザ端末３００、ビジネス拠点店舗５００、クリーニング工場６００を含む。
【００３１】
図１の本部システム２００は、管理システム２１０を含み、ビジネス拠点店舗５００は、ビジネス拠点店舗Ａ５１０、ビジネス拠点店舗Ｂ５２０を含む。ビジネス拠点店舗Ａ５１０は、管理システム５１１および着替ロッカー５１２を含み、ビジネス拠点店舗Ｂ５２０は、管理システム５２１および着替ロッカー５２２を含む。
【００３２】
図１の本部システム２００、ユーザ端末３００、ビジネス拠点店舗Ａ５１０、ビジネス拠点店舗Ｂ５２０、およびクリーニング工場６００は、インターネット７００により互いに接続される。
【００３３】
ここで、図１のビジネス拠点店舗Ａ５１０およびビジネス拠点店舗Ｂ５２０は、ビジネス拠点、例えば、ビジネス拠点店舗Ａ５１０は、東京駅構内または東京駅近辺に所在し、ビジネス拠点店舗Ｂ５２０は、新大阪駅構内または新大阪駅近辺に所在すると仮定する。
また、本実施の形態において、ビジネス拠点店舗Ａ５１０、ビジネス拠点店舗Ｂ５２０は、クリーニング店舗からなる。
【００３４】
また、本実施の形態において、ユーザ端末３００は、携帯通信端末、携帯電話、スマートフォン等からなる。なお、ユーザ端末３００は、パーソナルコンピュータであってもよい。
なお、ユーザ端末３００は、インターネット７００に接続できる任意の装置であればよい。
【００３５】
図２は、レンタルシステム１００の登録処理の流れの一例を示すフローチャートであり、図３は、本部システム２００の管理システム２１０の内部構成の一例を示す模式図である。
【００３６】
図２に示すように、ユーザは、ユーザ端末３００を用いて本部システム２００の管理システム２１０に接続する。
ここで、図３に示すように、管理システム２１０は、会員登録用ＵＲＬ（Ｕｎｉｆｏｒｍ  Ｒｅｓｏｕｒｃｅ  Ｌｏｃａｔｏｒ）記録部２１１、会員情報記録部２１２、利用頻度記録部２１３、会員登録ポイント記録部２１４を含む。また、管理システム２１０は、店舗登録用ＵＲＬ記録部２２１、店舗情報記録部２２２、アンケート結果情報記録部２２３を含む。
【００３７】
ユーザは、ユーザ端末３００を用いて、会員登録用ＵＲＬ記録部２１１に記録されたＵＲＬに接続し、ユーザ自身の情報を入力する。
【００３８】
図４は、ユーザが登録する会員情報の一例を示す模式図である。
【００３９】
図４に示すように、ユーザは、ユーザ端末３００を用いて、当該ＵＲＬに接続し、会員情報を記録する。
例えば、氏名、年齢、性別、電話番号、住所、メールアドレス、パスワード、衣服に関する体型、サイズ、嗜好ブランド、嗜好カラー、その他備考を入力する。
【００４０】
管理システム２１０は、会員登録が完了したと判定した場合、ユーザ端末３００へ登録完了のメッセージを送信する。例えば、登録完了のメッセージは、「登録完了いたしました。ありがとうございます。」等である。
また、本部システム２００の管理システム２１０は、会員情報記録部２１２にユーザ端末３００を有するユーザの情報を記録する。
【００４１】
次に、図２に示すように、ビジネス拠点店舗Ａ５１０またはビジネス拠点店舗Ｂ５２０は、管理システム２１０に店舗登録を行う。
ビジネス拠点店舗Ａ５１０およびビジネス拠点店舗Ｂ５２０の担当者は、管理システム２１０の店舗登録用ＵＲＬ記録部２２１に記録されたＵＲＬに接続し、ビジネス拠点店舗Ａ５１０およびビジネス拠点店舗Ｂ５２０自身の情報を入力する。
【００４２】
＜初期登録概略＞
図５は、ビジネス拠点店舗Ａ５１０およびビジネス拠点店舗Ｂ５２０が登録する会員情報の一例を示す模式図である。
【００４３】
図５に示すように、ビジネス拠点店舗Ａ５１０およびビジネス拠点店舗Ｂ５２０は、当該ＵＲＬに接続し、店舗情報を記録する。
例えば、店舗名、住所、電話番号、ＵＲＬ、メールアドレス、取り扱い衣類サイズ、取り扱い衣類ブランド、取り扱い衣類カラー、その他備考を入力する。
【００４４】
本部システム２００の管理システム２１０は、店舗登録が完了したと判定した場合、ビジネス拠点店舗Ａ５１０およびビジネス拠点店舗Ｂ５２０の管理システム５１１，５２１へ登録完了のメッセージを送信する。例えば、登録完了のメッセージは、「登録完了いたしました。ありがとうございます。」等である。
また、本部システム２００の管理システム２１０は、店舗情報記録部２２２にビジネス拠点店舗Ａ５１０およびビジネス拠点店舗Ｂ５２０の情報を記録する。
【００４５】
＜予約概略＞
次に、ユーザが、レンタルシステム１００を利用し予約する状態について説明する。
図６は、レンタルシステム１００を利用する一例を示すフローチャートである。
【００４６】
例えば、ユーザが、東京に在住しており、新大阪までビジネスの出張を行う場合について説明する。
この場合、図６に示すように、ユーザは、ユーザ端末３００を用いて、本部システム２００の管理システム２１０に接続を行う。なお、ユーザは、上記のパスワードを用いて本部システム２００に接続する。
この場合、ユーザは、日時、利用したいビジネス拠点、衣類のサイズ、ブランド、カラーを入力し、および予約登録を行う。
【００４７】
本部システム２００は、ユーザの入力情報を受け取り、利用したいビジネス拠点である新大阪のビジネス拠点店舗Ｂ５２０を選択可能か否かを判定する。
例えば、ビジネス拠点店舗Ｂ５２０の管理システム５２１に対して、ユーザ端末３００から送信された会員情報に該当するビジネス衣類があるか否か確認する。すなわち、ユーザ端末３００を有するユーザの体型、嗜好などに合うビジネス衣類を保管しているか否かを確認するものである。
ビジネス拠点店舗Ｂ５２０は、随時自身の店舗における状況を本部システム２００に与える。
続いて、本部システム２００は、ビジネス拠点店舗Ｂ５２０が、該当すると判定した場合、ユーザの予約情報をビジネス拠点店舗Ｂ５２０に送信する。
【００４８】
ビジネス拠点店舗Ｂ５２０は、ユーザの利用したい日時に応じて衣類のサイズ、ブランド、カラーの衣類が存在するか否かを判定し、存在する場合、本部システム２００に確認メールを送信する。
本部システム２００は、ユーザ端末３００に予約完了のメールを送信する。その結果、ユーザは、予約完了の旨を認識する。
また、本部システム２００は、利用日時の前日等にリマインダーメールをユーザ端末３００に対して送信する。その結果、ユーザは、最終確認を認識することができる。
【００４９】
＜利用時概略＞
続いて、ユーザがレンタルシステム１００を利用する状態について説明する。図７は、レンタルシステム１００を利用する一例を示すフローチャートである。
【００５０】
例えば、ユーザは、東京駅から私服で新大阪駅まで向かう。そして、新大阪駅のビジネス拠点店舗Ｂ５２０に立ち寄る。
そして、ビジネス拠点店舗Ｂ５２０からユーザ端末３００側（ユーザ）へビジネス衣料の貸出を行う。
ユーザは、ビジネス拠点店舗Ｂ５２０内の着替ロッカー５２２に収容されているビジネス衣料を受け取る。
ここで、ビジネス衣料とは、スーツ服上下、ワイシャツ、靴、靴下、ベルト、ネクタイ、タイピン、セミフォーマル類、ジャケット、パンツ等を含む。
【００５１】
その結果、ユーザは、私服（非ビジネス衣類）からビジネス衣類に着替えることができる。また、ユーザが東京駅から新大阪駅まで着てきた私服を着替ロッカー５２２内に収納させることができる。その結果、手荷物を減らすことができる。
ここで、ユーザ端末３００を有するユーザは、ビジネス拠点店舗Ｂ５２０により着替ロッカー５２２に収容された私服をクリーニング工場６００で洗濯してもらってもよい。
【００５２】
その後、ユーザは、新大阪から東京へ戻る際に、新大阪駅におけるビジネス拠点店舗Ｂ５２０に立ち寄る。
その場合、ユーザは、レンタルしたビジネス衣類を着替ロッカー５２２に返却し、私服に着替え、東京駅へ向かうことができる。
【００５３】
次に、本部システム２００の管理システム２１０は、ビジネス拠点店舗Ｂから利用完了のメールを受け取る。そして、管理システム２１０は、利用頻度記録部２１３に利用履歴を記録する。最後に、本部システム２００の管理システム２１０は、ユーザ端末３００に対してサンクスメールを送信する。
【００５４】
このように、ユーザは、予め利用したい日時と利用したいビジネス衣類をレンタルすることができるので、私服で気楽に移動を行うことができ、移動先において綺麗なビジネス衣類を着ることができる。
また、私服をクリーニングさせた場合には、帰宅時に綺麗な私服で帰ることができる。
【００５５】
また、ビジネス拠点店舗Ｂは、クリーニング店からなるので、返却されたビジネス衣類は、クリーニング工場６００により容易にクリーニングすることができる。
【００５６】
なお、上記実施の形態においては、ビジネス拠点店舗Ａ５１０，Ｂ５２０がクリーニング店であることとしたが、これに限定されず、ホテル、コンビニエンスストア、商品販売店、ホテル、サウナ、風呂業、漫画喫茶等であってもよい。
【００５７】
さらに、ビジネス拠点店舗Ａ５１０，Ｂ５２０を駅構内に設けることとしたが、これに限定されず、空港内、地下鉄駅、私鉄駅、港等、の移動拠点であってもよく、それらの場所から徒歩で歩くことができる距離内に配設されてもよい。
【００５８】
また、ビジネス拠点店舗Ｂ５２０でレンタルしたビジネス衣類をビジネス拠点店舗Ｂ５２０で返却することとしたが、これに限定されず、ビジネス拠点店舗Ｂ５２０でレンタルしたビジネス衣類をビジネス拠点店舗Ａ５１０で返却してもよい。
【００５９】
＜第２の実施の形態＞
次いで、第２の実施の形態について説明する。以下の説明では、第２の実施の形態が、第１の実施の形態と異なる点のみについて説明を行う。
【００６０】
図８は、レンタルシステムの概略の他の例について説明する説明図であり、図９は、第２の実施の形態にかかるレンタルシステムの一例を示すフローチャートである。
【００６１】
図８に示すように、レンタルシステム１００ａは、図１に示すレンタルシステム１００にさらに、衣服店舗８００を含むものである。
衣服店舗８００は、管理システム８１０を含む。本実施の形態にかかる衣服店舗８００は、アパレルメーカー、ブランドメーカー、衣類提供店などからなる。管理システム８１０は、衣服店舗８００における在庫、後述するアンケート結果の収集結果を記録するものである。
【００６２】
図９に示すように、衣服店舗８００は、ビジネス拠点店舗Ａ５１０，Ｂ５２０に対して衣服を提供する。その結果、ビジネス拠点店舗Ａ５１０，Ｂ５２０は、多種多様で多量の衣服を有し、ユーザに貸し出すことができる。
【００６３】
また、ユーザ端末３００を有するユーザは、常に清潔なビジネス衣類をレンタルすることができる。
【００６４】
そして、ユーザ端末３００を有するユーザは、ビジネス衣類をビジネス拠点店舗Ａ５１０，Ｂ５２０に返却する。
【００６５】
ビジネス拠点店舗Ａ５１０，Ｂ５２０は、利用完了メールを本部システム２００に送信し、本部システム２００は、ユーザ端末３００側にアンケートメールを送信する。
【００６６】
ユーザは、ユーザ端末３００を用いてアンケートを本部システム２００へ送信し、本部システム２００は、アンケート結果を収集し、収集結果を衣服店舗８００に送信する。
ここで、図３に示すように、本部システム２００の管理システム２１０のアンケート結果情報記録部２２３にアンケート結果を記録する。その結果、衣服店舗８００は、アンケート結果の収集結果に基づいて、より良い商品開発を行うことができる。
【００６７】
次に、衣服店舗８００は、ユーザ端末３００に利益ポイントまたは割引チケットを提供する。その結果、衣服店舗８００は、顧客囲い込みを実現することができる。
また、衣服店舗８００は、本部システム２００の管理システム２１０に利益ポイントまたは割引チケットの提供を報告する。管理システム２１０は、会員登録ポイント記録部２１４に当該提供の旨を記録する。
その結果、管理システム２１０は、利用頻度が高く会員登録ポイントが少ないユーザに対して特典または割引チケットを多く発行させることができる。その結果、利用頻度をさらに高めることができる。
【００６８】
さらに、ユーザは、レンタルしたビジネス衣類を気に入った場合、衣服店舗８００において購入することができる。この場合、衣服店舗８００にとってメリットを大きくすることができる。
【００６９】
なお、上記の第１および第２の実施の形態においては、ビジネス衣類として男性物を例示したが、これに限定されず、女性物のビジネス衣類でも同様に適用することができる。
【００７０】
以上のように、ユーザ端末３００を有するユーザは、ビジネス拠点店舗Ａ５１０，Ｂ５２０においてビジネス衣類をレンタルすることができる。
また、私服をビジネス拠点店舗Ａ５１０，Ｂ５２０システムにおいてクリーニングしてもよく、会員から返却されたビジネス衣類を容易にクリーニング工場６００においてクリーニングすることができる。
さらに、私服を収納保管する着替ロッカー５１２，５２２をさらに含むので、移動中のユーザの荷物の量を軽減することができる。
【００７１】
また、レンタルシステム１００においては、ユーザ端末３００からユーザの体型に応じたビジネス衣類のサイズを登録することができるので、ユーザは、自分のサイズにあったビジネス衣類を容易にレンタルすることができる。
【００７２】
さらに、衣服店舗８００からビジネス拠点店舗Ａ５１０，Ｂ５２０にビジネス衣類を提供することができるので、ユーザが自らのビジネス衣類を預けることなく、ビジネス衣類を選定し、レンタルすることができる。また、ユーザがレンタルしたビジネス衣類のアンケートを衣服店舗８００に提供することができるので、衣服店舗８００の顧客ニーズに活かすことができる。
【００７３】
また、衣服店舗８００の顧客ニーズの代償として、利益ポイントを提供することができる。利益ポイントは、割引チケット、金券等であってもよい。
なお、本実施の形態においては、本部システム２００が会員情報を記録することとしているが、これに限定されず、カード発行またはカード更新システムを含んでもよい。
さらに、本部システム２００をビジネス拠点店舗５００内のいずれかに設置してもよい。
【００７４】
本発明においては、本発明は、ビジネス拠点店舗Ａ５１０およびビジネス拠点店舗Ｂ５２０が「衣類の洗濯事業店舗システムおよび洗濯事業工程」に相当し、本部システム２００が、「管理システムおよび管理工程」に相当し、レンタルシステム１００が、「レンタルシステムおよびレンタル方法」に相当し、衣服店舗８００が「衣類販売店舗システム」に相当する。
【００７５】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７６】
１００  レンタルシステム
２００  本部システム
５１０  ビジネス拠点店舗Ａ
５２０  ビジネス拠点店舗Ｂ
８００  衣服店舗
【図１】
2016033744.tif 000003
【図２】
2016033744.tif 000004
【図３】
2016033744.tif 000005
【図４】
2016033744.tif 000006
【図５】
2016033744.tif 000007
【図６】
2016033744.tif 000008
【図７】
2016033744.tif 000009
【図８】
2016033744.tif 000010
【図９】
2016033744.tif 000011